(57)【特許請求の範囲】
【請求項１】
手摺芯材の周囲を覆う樹脂製の手摺用カバー部材であって、該手摺用カバー部材は外側面にオレフィン系熱可塑性エラストマーからなり且つ外側面下部に複数の突条を形成した滑り止め層を形成し、内側面にポリプロピレン樹脂からなる形状保持層を形成したことを特徴とする手摺用カバー部材。
【発明の詳細な説明】
【０００１】
【発明の属する技術分野】
この発明は、階段、スロープ、遊歩道等に沿って施工される手摺に装着される手摺用カバー部材であって、手摺芯材への手摺用カバー部材の装着作業を容易とし、掴み易く、滑り難い手摺を提供する手摺用カバー部材に関するものである。
【０００２】
【従来の技術】
従来、特開平１０−２１２８０８号、同１０−１１０５１２号、同８−３２６２５７号公報に示されるように、手摺芯材にカバー部材を設けた手摺が知られている。これらの手摺によれば、手摺芯材の外周全体に合成樹脂からなる手摺用カバー部材を設けているので、金属がむき出しの手摺と比べて、掴んだ時に冷たく無く、手に馴染む適度なフィット感が得られ、滑り止めの効果を発揮するものである。
【０００３】
また、手摺芯材には図６（Ａ）に示した断面形状を有するものがあるが、このような手摺芯材Ｔは下面に取付金具挿入用の溝部Ｍが開口形成されているため、手摺芯材の外側面全体を包囲する管状のカバー部材を被せることができないものである。
そこで、図６（Ｂ）に示したとおり、取付金具挿入用の溝部Ｍの縁にカバー部材Ｃの端部Ｃ１を係止して取付けたものがあるが、掴んだ時のフィット感を良くするために、軟質の合成樹脂によりカバー部材を形成すると、取付金具挿入用の溝部Ｍの縁と係合するカバー部材Ｃの端部Ｃ１の係止力が弱く、カバー部材Ｃを強固に手摺芯材Ｔに固定することができず、使用の際にカバー部材Ｃが回転したり、カバー部材Ｃが脱落する虞を有するものであった。
【０００４】
さらに、軟質の合成樹脂ではカバー部材と手摺芯材との摩擦抵抗が大きく、しかもカバー部材自体が形状を保持することが困難である為、カバー部材の端部から手摺芯材をスライドして挿入するといった装着方法を採ることができないものであった。
よって、従来のカバー部材は摩擦抵抗の小さい硬質の合成樹脂により形成されたものが殆どであり、掴んだ時の手に馴染む適度なフィット感と、滑り止めの効果はある程度犠牲にせざるを得ないものであった。
【０００５】
【発明が解決しようとする課題】
この発明の目的は、手摺への装着作業を容易なものとし、掴んだ時のフィット感が良く、滑り止め効果を発揮することのできる手摺用カバー部材を提供することにある。
【０００６】
【課題を解決するための手段】
本発明者等は、このような事情に鑑み鋭意検討を重ねた結果、手摺芯材の周囲を覆う樹脂製の手摺用カバー部材であって、該手摺用カバー部材は外側面にオレフィン系熱可塑性エラストマーからなり且つ外側面下部に複数の突条を形成した滑り止め層を形成し、内側面にポリプロピレン樹脂からなる形状保持層を形成したことによって、所期の目的を達成したものである。
【０００７】
【作用】
この発明によれば、手摺用カバー部材を外側面のオレフィン系熱可塑性エラストマーからなる滑り止め層と、内側面のポリプロピレン樹脂からなる形状保持層の２層構造としているので、外側面の軟質合成樹脂は掴んだ時のフィット感が良好であり、しかも外側面下部に複数の突条を形成しているので、滑り止めの効果を有するものである。
また、手摺と接触する内側面はポリプロピレン樹脂なので、手摺芯材との摩擦抵抗が小さく、手摺用カバー部材の端部から手摺芯材をスライドして挿入することが可能となるので、手摺用カバー部材の装着作業が容易に行えると共に、手摺芯材と手摺用カバー部材との係止力を高めることができるので、カバー部材が回転したり脱落することを防止できる。
【０００８】
【発明の実施の形態】
以下、発明の実施の形態を実施例に基づき説明する。
図１ないし５は本発明手摺用カバー部材の実施例であり、図中１は手摺を表わし、手摺１は施工場所に立設した支柱２の上端に取付けられている。手摺１は手摺芯材１１と手摺用カバー部材１２とから形成されており、手摺芯材１１の下面に形成された取付金具挿入溝１１１に、支柱２の上端に設けた取付金具２１を挿入して支柱２の上端に手摺芯材１１が取付けられる。
【０００９】
手摺用カバー部材１２は、手摺芯材１１の周りに装着されており、合成樹脂材料によって形成されている。手摺用カバー部材１２の外側面は軟質合成樹脂からなる滑り止め層１２１と、内側面は硬質合成樹脂からなる形状保持層１２２との２層構造を呈している。図１の手摺用カバー部材１２の断面図において破線より外側の部分が滑り止め層１２１であり、内側の部分が形状保持層１２２である。
【００１０】
軟質合成樹脂の滑り止め層１２１は、エチレンプロピレンゴム等のオレフィン系熱可塑性エラストマーにより形成され、硬質合成樹脂の形状保持層１２２はポリプロピレン樹脂により形成されている。手摺用カバー部材１２は２層押出し成形法により製造され、外側の滑り止め層１２１と内側の形状保持層１２２は一体的に形成されており、剥がれたりすることはない。
【００１１】
手摺用カバー部材１２の下縁には係止縁１２３が形成されており、係止縁１２３が手摺芯材１１の下面に形成された取付金具挿入溝１１１の開口縁に係止される。また内側面の中間位置には鍵状の係合部１２４が形成されており、係合部１２４の位置に対応する手摺芯材１１の外側面には、被係合部１１２が形成され、係合部１２４が被係合部１１２と係合する。
手摺用カバー部材１２の外側面下部には、平行に複数の突条１２５が形成され、手摺１を掴んだ時の滑り止め効果を高めている。
【００１２】
以上の構成からなる本発明手摺用カバー部材１２によれば、外側面はオレフィン系熱可塑性エラストマーにより形成されているので、掴んだ時のフィット感が良好であり、しかも外側面下部に複数の突条を形成しているので、滑り止めの効果を発揮できるものである。
また、内側面はポリプロピレン樹脂により形成されており、手摺用カバー部材１２は形状が保持された状態であるので、手摺用カバー部材１２の端部から手摺芯材１１をスライドして挿入することができ、手摺用カバー部材１２の装着作業が容易に行える。さらに、手摺用カバー部材１２自体は容易に変形することがなく、手摺芯材１１との係止力を高めることができ、手摺用カバー部材１２が回転したり脱落するのを防ぐことができる。
【００１３】
【発明の効果】
本発明手摺用カバー部材によれば、外側面にオレフィン系熱可塑性エラストマーからなり且つ外側面下部に複数の突条を形成した滑り止め層を設け、内側面にポリプロピレン樹脂からなる形状保持層を設けているので、滑り止めの効果を有すると共に、手摺芯材への装着作業を容易とし、手摺芯材との係止力を高めることができる等、実施上の効果は多大である。
【図面の簡単な説明】
【図１】  本発明手摺用カバー部材の断面図
【図２】  本発明手摺用カバー部材を手摺に装着した状態を表わす断面図
【図３】  本発明手摺用カバー部材を装着した手摺を支柱に取付けた状態を表わす立面図
【図４】  本発明手摺用カバー部材を装着した手摺を支柱に取付けた状態を表わす断面図
【図５】  本発明手摺用カバー部材を装着した手摺の全体図
【図６】  手摺芯材の断面図（Ａ）と従来の手摺用カバー部材を装着した手摺の断面図（Ｂ）
【符号の説明】
１      手摺
２      支柱
１１      手摺芯材
１２      手摺用カバー部材
１２１      滑り止め層
１２２      形状保持層
【図１】
0003889973.tif 000002
【図２】
0003889973.tif 000003
【図３】
0003889973.tif 000004
【図４】
0003889973.tif 000005
【図５】
0003889973.tif 000006
【図６】
0003889973.tif 000007